(57)【要約】【課題】使い勝手をよくし、大量の輸液を一挙に調製する。【解決手段】薬剤入りのバイアルを装着する第１の穿刺針１２付きの第１の装着部１０と、溶解液入りの輸液容器を装着する第２の穿刺針２２付きの第２の装着部２０と、エアポンプとしての蛇腹４１を装着する第３の装着部３０と、流通路４２に挿着する栓体４３とを設け、第１の穿刺針１２の各通路１２ａ、１２ｂを第３の装着部３０、第２の穿刺針２２の通路２２ａに個別に連通させる。【選択図】図１
2007275441.tif 000002
【特許請求の範囲】
【請求項１】
一対の通路を有する第１の穿刺針を備え、薬剤入りのバイアルを装着する第１の装着部と、単一の通路を有する第２の穿刺針を備え、溶解液入りの輸液容器を装着する第２の装着部と、片手操作可能なエアポンプを装着する第３の装着部とを備えてなり、前記第１の穿刺針の各通路は、前記第３の装着部、前記第２の穿刺針の通路に個別に連通することを特徴とする輸液の調製用デバイス。
【請求項２】
前記第３の装着部を前記第２の穿刺針の通路に連通させる流通路と、該流通路の中途に開口する前記第１の穿刺針の各通路を前記第３の装着部側、前記第２の穿刺針の通路側に分離する栓体とを設けることを特徴とする請求項１記載の輸液の調製用デバイス。
【請求項３】
前記栓体は、前記第１の穿刺針の各通路の間において前記流通路を閉塞するフランジを有し、各複数枚の径方向の羽根板を前記フランジの前後に形成することを特徴とする請求項２記載の輸液の調製用デバイス。
【請求項４】
前記栓体は、前記流通路の先端の段部に突き当てることを特徴とする請求項３記載の輸液の調製用デバイス。
【請求項５】
前記第１の装着部には、バイアルの口部をガイドして抜止めする複数のガイド片を円形に配列することを特徴とする請求項１ないし請求項４のいずれか記載の輸液の調製用デバイス。
【請求項６】
前記エアポンプは、蛇腹であることを特徴とする請求項１ないし請求項５のいずれか記載の輸液の調製用デバイス。
【発明の詳細な説明】
【技術分野】
【０００１】
この発明は、バイアル内の乾燥製剤の薬剤を輸液容器内の溶解液によって溶解し、適正な輸液として調製する際に用いる輸液の調製用デバイスに関する。
【背景技術】
【０００２】
バイアル内の薬剤を溶解液によって溶解し、点滴注射などの輸液として調製するために、専用の調製用デバイスが提案されている（特許文献１）。
【０００３】
このものは、穿刺針を有するバイアル装着部と、溶解液を充填済みのシリンジを装着するシリンジ装着部とを共通の円板状のハブの両側に一体に形成して構成されている。なお、バイアル装着部の穿刺針は、一対の通路を有し、一方の通路は、ハブを貫通してシリンジ装着部に連通しており、他方の通路は、たとえば除菌フィルタを介して外気に開放されている。そこで、このものは、バイアル装着部に薬剤入りのバイアルを装着し、シリンジ装着部に装着するシリンジを押し操作してシリンジ内の溶解液をバイアル内に注入することにより、薬剤を溶解させることができる。また、このようにして薬剤を溶解させると、シリンジを引き操作してバイアル内の溶解液をシリンジ内に吸引させ、別の輸液容器に注入して稀釈し、適正な輸液として調製するが、溶解液の吸引の際、除菌フィルタを介してバイアル内に外気が導入されるため、輸液が汚染されるおそれがない。
【特許文献１】特開平７−２１３５８５号公報
【発明の開示】
【発明が解決しようとする課題】
【０００４】
かかる従来技術によるときは、シリンジに吸引させた溶解液を輸液容器に再注入して稀釈するので、全体操作が煩雑であり、大量の輸液を一挙に調製することが不可能であるという問題があった。また、シリンジは、片手操作することができないため、使い勝手がよくないという問題もあった。
【０００５】
そこで、この発明の目的は、かかる従来技術の問題に鑑み、片手操作可能なエアポンプを使用するとともに、溶解液入りの輸液容器を装着することによって、使い勝手がよく、大量の輸液を一挙に簡単に調製することができる輸液の調製用デバイスを提供することにある。
【課題を解決するための手段】
【０００６】
かかる目的を達成するためのこの発明の構成は、一対の通路を有する第１の穿刺針を備え、薬剤入りのバイアルを装着する第１の装着部と、単一の通路を有する第２の穿刺針を備え、溶解液入りの輸液容器を装着する第２の装着部と、片手操作可能なエアポンプを装着する第３の装着部とを備えてなり、第１の穿刺針の各通路は、第３の装着部、第２の穿刺針の通路に個別に連通することをその要旨とする。
【０００７】
なお、第３の装着部を第２の穿刺針の通路に連通させる流通路と、流通路の中途に開口する第１の穿刺針の各通路を第３の装着部側、第２の穿刺針の通路側に分離する栓体とを設けることができ、栓体は、第１の穿刺針の各通路の間において流通路を閉塞するフランジを有し、各複数枚の径方向の羽根板をフランジの前後に形成することができ、流通路の先端の段部に突き当てることができる。
【０００８】
また、第１の装着部には、バイアルの口部をガイドして抜止めする複数のガイド片を円形に配列してもよく、エアポンプは、蛇腹としてもよい。
【発明の効果】
【０００９】
かかる発明の構成によるときは、第１の穿刺針の各通路は、第３の装着部、第２の穿刺針の通路に個別に連通している。すなわち、第３の装着部に装着するエアポンプを加圧方向に操作すると、エアポンプからのエアは、第１の穿刺針の一方の通路を通って、第１の装着部に装着するバイアル内に流入し、さらに第１の穿刺針の他方の通路、第２の穿刺針の通路を経て、第２の装着部に装着する輸液容器に流入する。したがって、エアポンプからのエア圧により輸液容器の内部を加圧することができる。
【００１０】
そこで、輸液容器が斜め下向きとなるように全体を傾けて保持し、エアポンプのエア圧を除去すると、輸液容器内の溶解液は、輸液容器内のエア圧によって駆動され、第２の穿刺針の通路、第１の穿刺針の一方の通路を通ってバイアル内に噴出し、バイアル内の薬剤を速やかに溶解することができる。その後、輸液容器を斜め上向きにして再びエアポンプからのエア圧を加えると、バイアル内に調製された混合液は、第１の穿刺針、第２の穿刺針の各通路を通って輸液容器内に戻り、輸液容器内の溶解液と混合して適正な輸液として調製される。すなわち、輸液容器内の輸液は、そのまま点滴注射などに使用可能であり、輸液容器の内容量相当の大量の輸液を一挙に簡単に調製することができる。
【００１１】
なお、第１の穿刺針は、第１の装着部に薬剤入りのバイアルを装着することにより、バイアルの口部のゴム栓に刺挿される。そこで、第１の穿刺針の通路のうち、第２の穿刺針の通路に連通する側の一方の通路は、ゴム栓の内面に極く近い低い位置に開口させることにより、バイアル内に調製される混合液の全量を残さずに輸液容器に排出させることができる。また、エアポンプは、片手操作によって加圧方向に駆動操作し得る形式であれば、蛇腹式、プランジャ式などのいずれであってもよい。ただし、エアポンプは、加圧方向の操作力を除去することによって自動的にエア圧を除去し得るように、戻り方向に復元力を有するものとし、ばねを介して戻り方向に駆動する形式としてもよい。また、エアポンプは、あらかじめ第３の装着部に一体に組み付けておいてもよく、エアポンプを含む全体を１回の使用ごとに廃棄する使い捨て形式とすることが好ましい。
【００１２】
第３の装着部を第２の穿刺針に連通させる流通路と、栓体とを設ければ、流通路の中途に開口する第１の穿刺針の各通路は、栓体を介して、第３の装着部側、第２の穿刺針の通路側に分離され、それぞれ第３の装着部、第２の穿刺針の通路に個別に連通させることができる。なお、このときの栓体は、流通路に対し、軸方向または径方向に挿着することができる。
【００１３】
フランジを有する栓体は、流通路の軸方向に圧入することにより、フランジを介して第１の穿刺針の各通路の間において流通路を閉塞し、各通路を第３の装着部、第２の穿刺針の通路に個別に連通させることができる。なお、第３の装着部は、第２の装着部と共通の軸心上に配置することが好ましい。このときの流通路は、共通の軸心上に直線的に形成することができ、したがって、第３の装着部側から栓体を流通路に簡単に圧入することができるからである。なお、第２の穿刺針の通路は、流通路の先端において、共通の軸心上に開口させるものとする。そこで、流通路の中途に開口する第１の穿刺針の各通路の間に栓体のフランジを位置決めして停止させると、フランジを介して各通路を第３の装着部側、第２の穿刺針の通路側に分離することができ、フランジの前後の羽根板は、流通路の内面との間に扇形の通路を形成し、この通路を介して、第１の穿刺針の各通路を第３の装着部、第２の穿刺針の通路に個別に連通させることができる。
【００１４】
栓体は、流通路に圧入するとき、流通路の先端の段部に突き当てて位置決めすることにより、流通路の先端に開口する第２の穿刺針の通路を不用意に閉じてしまうおそれがなく、しかも、圧入時の方向性をなくすることができる。ただし、このときの段部は、たとえば第２の穿刺針の通路と同心の円形の凹部を流通路の先端に設けることにより、流通路の先端の内径よりやや小さい内径のリング状に形成するものとする。
【００１５】
第１の装着部に設ける複数のガイド片は、バイアルの口部をガイドして抜止めすることにより、バイアルのゴム栓の弾力によってバイアルが不用意に外れたり傾いたりするおそれがない。
【００１６】
エアポンプは、エア圧を除去する方向に復元力を有する蛇腹とすることにより、最も軽量かつ低コストに製作することができる。
【発明を実施するための最良の形態】
【００１７】
以下、図面を以って発明の実施の形態を説明する。
【００１８】
輸液の調製用デバイスは、第１の装着部１０と、第２の装着部２０と、第３の装着部３０とを備えてなる（図１、図２）。ただし、図２には、第３の装着部３０に装着するエアポンプとしての蛇腹４１が図示されている。
【００１９】
第２、第３の装着部２０、３０は、共通の軸心Ｃ上において、互いに背向するようにして配置されている。また、第１の装着部１０は、第２、第３の装着部２０、３０の間において、第２、第３の装着部２０、３０の共通の軸心Ｃに対して直角に配置されている。第２、第３の装着部２０、３０の間には、第３の装着部３０側に開口する流通路４２が軸心Ｃ上に形成されており、流通路４２は、第３の装着部３０に向けて僅かにテーパ状に開拡している。また、流通路４２には、栓体４３が軸方向に挿着されている。
【００２０】
第１の装着部１０は、有底円筒状の外筒１１と、外筒１１の底面１１ａに立設する第１の穿刺針１２、ガイド片１３、１３…とを有する（図１、図３（Ａ））。ただし、図３（Ａ）、（Ｂ）は、それぞれ図２のＸ、Ｙ矢視相当図である。
【００２１】
第１の穿刺針１２は、外筒１１の中心に配置され、外筒１１の上端よりやや低い先端を鋭く尖らせて形成されている。第１の穿刺針１２は、先端に向けて開口する一対の通路１２ａ、１２ｂを有し、通路１２ａ、１２ｂは、軸心Ｃを含む同一平面内において、軸心Ｃに対して直角に並設されている。すなわち、通路１２ａ、１２ｂは、外筒１１の底面１１ａを貫通し、流通路４２の中途に開口している。なお、第２の装着部２０側の通路１２ｂは、軸方向のスリット１２ｃを介し、第１の穿刺針１２の十分低い位置にまで外部に開口している（図１、図４）。第１の穿刺針１２には、取外し可能な保護カバー１２ｄが付属している。
【００２２】
ガイド片１３、１３…は、外筒１１の底面１１ａ上において、第１の穿刺針１２のまわりに円形に配列されている（図１、図３（Ａ））。各ガイド片１３は、円弧状に湾曲し、上端部が内向きの斜面１３ａに形成され、斜面１３ａの下側には、山形に膨出する掛かり１３ｂが形成されている。
【００２３】
第２の装着部２０は、外筒２１と、外筒２１の中心、すなわち軸心Ｃ上に配置する第２の穿刺針２２とを有する（図１、図２）。第２の穿刺針２２の先端は、外筒２１の先端よりも僅かに高く、鋭く尖らせて形成されている。第２の穿刺針２２は、通路２２ａを有し、通路２２ａは、流通路４２の先端に滑らかに開拡しながら開口するとともに、第２の穿刺針２２の先端に向けて上下に分岐して開口している。なお、第２の穿刺針２２には、取外し可能な保護カバー２２ｃが付属している。
【００２４】
外筒２１の先端には、左右の切欠き２１ａ、２１ａが対称形に形成されている。第２の穿刺針２２の基部には、円形のベース２２ｂが形成され、ベース２２ｂは、内部に流通路４２を形成する筒体４２ａの先端に突設形成されている。また、ベース２２ｂは、外筒２１との間に介装する横向き、下向きの３枚の支持板２１ｂ、２１ｂ…を介して支持されている。ただし、外筒２１の下半部は、第１の装着部１０の外筒１１の下部を横切って第３の装着部３０にまで連続して到達しており、支持板２１ｂ、２１ｂ…も、それぞれ筒体４２ａの全長を支持して第３の装着部３０にまで到達している。また、ベース２２ｂの外周上側は、第１の装着部１０の外筒１１内に段状に突出する平面壁２３に連結されており（図１、図３（Ａ）、（Ｂ））、外筒２１の内面と平面壁２３との間には、下の支持板２１ｂと対称の支持板２１ｃが形成されている。筒体４２ａの外周上側は、外筒１１の底面１１ａの下面に連結されている。
【００２５】
外筒２１の外径は、第３の装着部３０に向けて僅かにテーパ状に縮径され（図１、図３（Ａ））、第１の装着部１０の外筒１１と、外筒２１の後端に付設する第３の装着部３０のフランジ３１との間には、軸心Ｃに向けて滑らかに凹ませる左右の指掛け２４、２４が対称形に形成されている。ただし、フランジ３１は、外筒１１、２１の外径より大きな長径を左右方向に有する楕円形であり、したがって、指掛け２４、２４のフランジ３１側は、外筒１１、２１の左右に突出している。なお、各指掛け２４の表面には、滑り止め用の粗面加工が施されている（図２、図３の薄墨部分）。
【００２６】
第３の装着部３０は、フランジ３１の奥部に軸心Ｃ上の流通路４２を開口させて形成されている（図１）。流通路４２の周囲には、短いスカート４２ｂが付設されており、スカート４２ｂの周囲には、大径のスカート３２が同軸状に立設されている。スカート３２は、スカート４２ｂより長く、フランジ３１から突出しないように形成され、スカート３２の内周には、雌ねじ３２ａが形成されている。
【００２７】
栓体４３は、中央のフランジ４３ａの前後にそれぞれ４枚の径方向の羽根板４３ｂ、４３ｂ…を形成する異形のロッド状部材である（図１、図５（Ａ））。栓体４３の両端には、それぞれ滑らかな凹部４３ｃが形成されており、各凹部４３ｃは、十字状に交差する４枚の羽根板４３ｂ、４３ｂ…の全部に及ぶように十分大径に形成されている。
【００２８】
そこで、栓体４３を第３の装着部３０側から流通路４２に圧入して栓体４３の前端を流通路４２の先端に突き当てると、フランジ４３ａは、流通路４２に開口する第１の穿刺針１２の通路１２ａ、１２ｂの間に位置し、通路１２ａ、１２ｂの間において流通路４２を閉塞し、通路１２ａ、１２ｂを第３の装着部３０側、第２の穿刺針２２の通路２２ａ側に分離することができる。また、羽根板４３ｂ、４３ｂ…は、フランジ４３ａの前後において、流通路４２の内面に摺接して流通路４２内に扇形の通路を９０°ごとに形成することができる。さらに、栓体４３の前端の凹部４３ｃは、流通路４２の先端に開口する第２の穿刺針２２の通路２２ａを扇形の通路に連通させ、通路２２ａを閉じることがない。すなわち、栓体４３は、第１の穿刺針１２の通路１２ａ、１２ｂを第３の装着部３０、第２の穿刺針２２の通路２２ａに個別に連通させることができる。
【００２９】
なお、栓体４３のフランジ４３ａ、羽根板４３ｂ、４３ｂ…の各外径は、流通路４２内に圧入可能に設定し、栓体４３の全長は、流通路４２の先端から通路１２ａ、１２ｂの中間位置までの２倍相当に設定するものとする。また、各凹部４３ｃの径は、流通路４２の先端に開口する通路２２ａの有効断面積を実質的に減縮しないものとする。ただし、栓体４３は、流通路４２が第３の装着部３０に向けて僅かに開拡していても、フランジ４３ａを除く全長を実質的に同一径に形成する。また、栓体４３は、両端にそれぞれ凹部４３ｃを形成することにより、圧入時の方向性をなくすることができる。
【００３０】
第１、第２、第３の装着部１０、２０、３０を含む全体形状は、たとえばＡＢＳ樹脂のような硬質プラスチック材料により一体成形し、栓体４３は、たとえば低密度ポリエチレンのような軟質プラスチック材料により一体成形するものとする。ただし、栓体４３は、中央のフランジ４３ａの前後に各３枚の羽根板４３ｂ、４３ｂ…を等角度に形成してもよい（図５（Ｂ））。
【００３１】
なお、栓体４３は、両端に凹部４３ｃ、４３ｃを設けることなく、流通路４２の先端のリング状の段部４２ｄに突き当ててもよい（図６）。段部４２ｄは、第２の穿刺針２２の通路２２ａと同心の円形の凹部４２ｃを流通路４２の先端に形成することにより、流通路４２の先端にリング状に形成されている。ただし、凹部４２ｃの内径は、流通路４２の先端の内径よりやや小さく、段部４２ｄは、通路２２ａの有効断面積を実質的に減縮しないものとする。
【００３２】
第３の装着部３０には、スカート３２の内周の雌ねじ３２ａに蛇腹４１の口部の雄ねじ４１ａをねじ込むことにより、蛇腹４１を装着する（図７）。このとき、流通路４２のスカート４２ｂは、蛇腹４１の口部に圧入され、蛇腹４１の気密性を維持することができる。ただし、図７において、栓体４３は、第１の穿刺針１２の通路１２ａ、１２ｂを第３の装着部３０の蛇腹４１、第２の穿刺針２２の通路２２ａに個別に連通させる屈曲通路４３ｄ、４３ｅを軸心Ｃ上に形成する単純な円柱状部材として図示されている。すなわち、栓体４３は、図５（Ａ）、（Ｂ）、図６に代えて、図７のように形成してもよい。
【００３３】
第１の装着部１０には、保護カバー１２ｄを取り外して第１の穿刺針１２を露出させた上、たとえば図示しない粉末状の薬剤入りのバイアルＢを装着することができる。このとき、第１の穿刺針１２は、バイアルＢのゴム栓Ｂ1 に刺挿され、ゴム栓Ｂ1 を貫通してバイアルＢ内に突出するとともに、通路１２ａ、１２ｂをバイアルＢ内に開口させる。なお、第２の装着部２０側の通路１２ｂは、スリット１２ｃを介し、ゴム栓Ｂ1 の薄肉の刺挿部の内面に近い位置に開口する。また、バイアルＢの口部は、外筒１１内のガイド片１３、１３…によってガイドされ、各ガイド片１３の内側の掛かり１３ｂ、１３ｂ…を介して弾発的に抜止めすることができる。
【００３４】
第２の装着部２０には、保護カバー２２ｃを取り外して第２の穿刺針２２を露出させた上、溶解液入りの輸液容器Ａを装着する。このとき、第２の穿刺針２２は、輸液容器Ａの図示しないゴム栓に刺挿され、通路２２ａを輸液容器Ａ内に開口させる。なお、外筒２１内の支持板２１ｂ、２１ｂ…、２１ｃは、輸液容器Ａの口部を正しく軸心Ｃ上にガイドすることができる。
【００３５】
輸液の調製用デバイスは、第３の装着部３０に蛇腹４１を装着して使用する（図８）。ただし、蛇腹４１は、使用前にあらかじめ第３の装着部３０に一体に組み付けて準備しておいてもよい。次いで、薬剤入りのバイアルＢを第１の装着部１０に装着し、溶解液Ｗ入りの輸液容器Ａを第２の装着部２０に装着する。
【００３６】
次に、輸液容器Ａが斜め下向きとなるように全体を傾け（図９）、片手の手指によって蛇腹４１を押し縮めて加圧方向に操作すると（同図の二点鎖線、実線）、蛇腹４１からのエアは、流通路４２、栓体４３、第１の穿刺針１２の一方の通路１２ａを介してバイアルＢ内に流入し、さらに、第１の穿刺針１２の他方の通路１２ｂ、栓体４３、第２の穿刺針２２の通路２２ａを介して輸液容器Ａ内に流入し、輸液容器Ａを加圧することができる。栓体４３は、第１の穿刺針１２の通路１２ａ、１２ｂを第３の装着部３０の蛇腹４１、第２の穿刺針２２の通路２２ａに個別に連通させているからである。
【００３７】
そこで、そのまま蛇腹４１に対する手指の操作力を除去すると、蛇腹４１は、その復元力とエア圧とによりエア圧を除去する方向に自動的に伸長する（図９の実線、二点鎖線、矢印Ｋ1 方向）。一方、輸液容器Ａ内の溶解液Ｗは、輸液容器Ａ内のエア圧によって排出方向に駆動され、第２の穿刺針２２の通路２２ａ、栓体４３、第１の穿刺針１２の通路１２ｂを介してバイアルＢ内に流入し、通路１２ｂからバイアルＢ内に高く噴出する（同図の矢印Ｋ2 、Ｋ2 ）。したがって、バイアルＢ内の薬剤は、噴出する溶解液Ｗによって速やかに溶解し、混合液Ｗa として調製することができる。なお、この状態で全体を振盪させ、バイアルＢ内の薬剤の溶解を補足促進させてもよい。
【００３８】
つづいて、輸液容器Ａを斜め上向きにして蛇腹４１を再び押し縮めると（図１０の矢印Ｋ3 方向）、蛇腹４１からのエアは、第１の穿刺針１２の一方の通路１２ａから気泡として混合液Ｗa 中に放出されてバイアルＢ内に流入し、バイアルＢ内を加圧する。したがって、バイアルＢ内の混合液Ｗa は、他方の通路１２ｂ、栓体４３、第２の穿刺針２２の通路２２ａを介して輸液容器Ａに戻り（同図の矢印Ｋ4 、Ｋ4 ）、輸液容器Ａ内の溶解液Ｗと混合することにより適正な輸液Ｗb として調製することができる。ただし、このとき、蛇腹４１は、バイアルＢ内の混合液Ｗa の全量が排出されるまで押しつづけるか、押し操作を複数回繰り返すことが好ましい。なお、バイアルＢの容量１０〜３０ml、蛇腹４１の有効容積１５〜２０mlとして、蛇腹４１の１回の押し操作によりバイアルＢ内の混合液Ｗa の全量を輸液容器Ａに十分排出することができる。
【００３９】
このようにして輸液Ｗb が輸液容器Ａ内に調製されたら、輸液容器Ａを第２の装着部２０から取り外し、輸液容器Ａの口部に点滴装置Ｄを接続し（図１１）、点滴台のフックＨに倒立させて掛ける。すなわち、輸液容器Ａ内の輸液Ｗb をそのまま点滴注射などに使用することができる。また、輸液容器Ａを取り外した後の輸液の調製用デバイスは、空のバイアルＢを取り外して廃棄する。
【他の実施の形態】
【００４０】
第１の穿刺針１２の通路１２ａ、１２ｂを第３の装着部３０、第２の穿刺針２２の通路２２ａに個別に連通させるには、多様な形態を採用することができる（図１２）。
【００４１】
たとえば、栓体４３は、流通路４２の軸方向に挿着するに代えて、流通路４２に開口する補助孔４４を介し、流通路４２の径方向に挿着してもよい（図１２（Ａ））。なお、補助孔４４は、軸心Ｃに関して第１の穿刺針１２と対称に形成するものとする。また、栓体４３は、第１の穿刺針１２と一体に形成し、第１の装着部１０側から流通路４２の径方向に挿着してもよい（同図（Ｂ））。また、流通路４２内に設ける仕切壁４５を介して第１の穿刺針１２の通路１２ａ、１２ｂを分離した上、第２の穿刺針２２と一体の栓体４３を第２の装着部２０側から流通路４２の軸方向に挿着することもできる（同図（Ｃ））。なお、図１２（Ｃ）において、第２の穿刺針２２と一体の栓体４３は、必ずしも仕切壁４５にまで到達させる必要がなく、第２の装着部２０側に開口する流通路４２を閉じるとともに、第２の穿刺針２２の通路２２ａと流通路４２とを連通させる貫通孔を有する部材としてもよい。
【００４２】
以上の説明において、蛇腹４１は、片手操作可能であれば、プランジャ式の他、たとえばスポイト用の乳首や血圧計のゴム球のようなバルーン式などを含む任意の形式のエアポンプに代えることができる。また、これらのエアポンプは、栓体４３を流通路４２に挿着した後、第３の装着部３０に取外し不能に装着してもよい。
【図面の簡単な説明】
【００４３】
【図１】全体構成縦断面図
【図２】全体斜視図
【図３】全体構成説明図
【図４】要部斜視図
【図５】要部斜視説明図
【図６】他の実施の形態を示す図１の要部拡大相当図
【図７】使用状態説明図（１）
【図８】使用状態説明図（２）
【図９】使用状態説明図（３）
【図１０】使用状態説明図（４）
【図１１】使用状態説明図（５）
【図１２】他の実施の形態を示す要部構成説明図
【符号の説明】
【００４４】
Ｂ…バイアル
Ａ…輸液容器
Ｗ…溶解液
１０…第１の装着部
１２…第１の穿刺針
１２ａ、１２ｂ…通路
１３…ガイド片
２０…第２の装着部
２２…第２の穿刺針
２２ａ…通路
３０…第３の装着部
４１…蛇腹
４２…流通路
４２ｄ…段部
４３…栓体
４３ａ…フランジ
４３ｂ…羽根板
特許出願人          伸晃化学株式会社
代理人  弁理士        松  田  忠  秋
【図１】
2007275441.tif 000003
【図２】
2007275441.tif 000004
【図３】
2007275441.tif 000005
【図４】
2007275441.tif 000006
【図５】
2007275441.tif 000007
【図６】
2007275441.tif 000008
【図７】
2007275441.tif 000009
【図８】
2007275441.tif 000010
【図９】
2007275441.tif 000011
【図１０】
2007275441.tif 000012
【図１１】
2007275441.tif 000013
【図１２】
2007275441.tif 000014